(57)【要約】単一のショートレンジＲＦトランシーバのカバレージエリアより大きなサイトに配備されたショートレンジＲＦネットワークは、カバレージエリアが重畳し且つゲートウェイを経てアクセスできるように配備された複数のショートレンジＲＦトランシーバを備え、そしてターミナル装置を受け入れて、トランシーバを経てゲートウェイ又は他のターミナル装置との通信を確立する。このシステムは、更に、インターネット及びゲートウェイと通信するＷＡＰ／ウェブサーバーを備えている。ターミナル装置は、ノード、ゲートウェイ、ＷＡＰ／ウェブサーバー及びインターネットを経てリモードウェブサーバー又はリモートユーザとインターネットセッションを確立し、そしてこのようなセッションに対してＰＰＰ  ＩＰ番号が指定される。１つのノードのカバレージエリアから別のノードのカバレージエリアへローミングし、従って、新たなＰＰＰ  ＩＰ番号が指定されるターミナル装置は、ＷＡＰ／ウェブサーバーに関連され且つゲートウェイにより更新される共用データベースにより、インターネットセッションを継続することができる。共用データベースは、ネットワークにおけるターミナル装置の現在位置と、インターネット通信が参照するところのＰＰＰ  ＩＰ番号とを相関させることができる。
2004522342.tif 000002
【特許請求の範囲】
【請求項１】
ショートレンジＲＦネットワークであって、該ネットワークは、
互いに且つ少なくとも１つのリソースにワイヤレス接続された複数のノードと、
該複数のノードの少なくとも１つとワイヤレス通信し且つ１つのノードのカバレージエリアから別のノードのカバレージエリアへローミングすることのできる少なくとも１つの移動装置と、
上記ショートレンジＲＦネットワークの各ノードに対し上記複数のノードの少なくとも１つと現在通信している上記少なくとも１つの移動装置に関する情報を維持するための周期的に更新される第１データベースと、
を備え、上記少なくとも１つのリソースは、上記ショートレンジＲＦネットワークの上記複数のノードに関する情報と、上記ショートレンジＲＦネットワークの各ノードの上記第１データベースに関する関連情報とを含む周期的に更新される第２データベースを有し、
上記少なくとも１つの移動装置は、上記ショートレンジＲＦネットワークを使用してデータに対するユーザ開始要求を送信することができ、
上記ネットワークは、上記要求を上記少なくとも１つのリソースへ転送するように構成され、そして
上記少なくとも１つのリソースは、その少なくとも１つのリソースの上記第２データベースに記憶された上記第１データベースに関する周期的に更新された関連情報に基づいて上記少なくとも１つの移動装置と通信しているノードに上記ネットワークを経て上記要求されたデータを供給するように構成されたショートレンジＲＦネットワーク。
【請求項２】
上記要求されたデータを受け取る上記ノードは、上記少なくとも１つの移動装置が上記ノードと依然通信しているかどうか決定するように構成され、そして
上記少なくとも１つの移動装置が上記第１データベースに記憶された上記周期的に更新される情報に基づいて上記ノードと依然通信している場合には、上記ノードが上記要求されたデータを上記少なくとも１つの移動装置に転送する請求項１に記載のショートレンジＲＦネットワーク。
【請求項３】
上記少なくとも１つの移動装置が上記第１データベースに記憶された上記周期的に更新される情報に基づいて上記ノードと通信していないと上記ノードが決定した場合には、上記ノードが、上記要求されたデータを、周期的に更新される第３データベースに一時的記憶のために転送する請求項２に記載のショートレンジＲＦネットワーク。
【請求項４】
上記第１データベースは、上記ショートレンジＲＦネットワークの各ノード内に各々配置される請求項１に記載のショートレンジＲＦネットワーク。
【請求項５】
上記少なくとも１つのリソースの上記第２データベースに記憶された上記第１データベースに関する上記周期的に更新される関連情報が、上記少なくとも１つの移動装置が複数のノードのいずれとも通信していないことを指示する場合には、上記要求されたデータが、周期的に更新される第３データベースに一時的記憶のために送信される請求項１に記載のショートレンジＲＦネットワーク。
【請求項６】
上記少なくとも１つのリソースの上記第２データベースに記憶された上記第１データベースに関する上記周期的に更新される関連情報が、上記少なくとも１つの移動装置が複数のノードのいずれかと通信するように復帰したことを指示する場合には、上記要求されたデータが上記第３データベースから検索されて、上記少なくとも１つの移動装置へ転送される請求項５に記載のショートレンジＲＦネットワーク。
【請求項７】
上記少なくとも１つのリソースの上記第２データベースに記憶された上記第１データベースに関する上記周期的に更新される関連情報が、上記少なくとも１つの移動装置が複数のノードの異なる１つと通信するように復帰したことを指示し、且つ上記第３データベースに記憶された上記要求されたデータが、上記少なくとも１つの移動装置が最後に通信したノードのカバレージエリアのみに関連する場合には、上記複数のノードの上記異なる１つに関連したデータが上記少なくとも１つの移動装置に転送される請求項５に記載のショートレンジＲＦネットワーク。
【請求項８】
上記少なくとも１つのリソースは、上記ショートレンジＲＦネットワークの他のノード及び上記少なくとも１つの移動装置と通信することのできる上記ショートレンジＲＦネットワークの制御ノードとして選択されたノードを含み、該制御ノードは、この制御ノードと現在通信している上記少なくとも１つの移動装置に関する情報を維持するための周期的に更新される第１データベースに関連される請求項１に記載のショートレンジＲＦネットワーク。
【請求項９】
上記少なくとも１つのリソースは、更に、他のネットワークへのゲートウェイである請求項１に記載のショートレンジＲＦネットワーク。
【請求項１０】
上記複数のノードの少なくとも１つは、上記少なくとも１つのリソースのカバレージエリアの外に配置され、そして上記複数のノードの少なくとも１つの他のノードを経て中継することにより上記少なくとも１つのリソースと通信する請求項１に記載のショートレンジＲＦネットワーク。
【請求項１１】
上記ショートレンジＲＦネットワークは、ブルーツースネットワークである請求項１に記載のショートレンジＲＦネットワーク。
【請求項１２】
上記要求されたデータは、データアイテムの所定セットの連続的な繰り返しを含む請求項１に記載のショートレンジＲＦネットワーク。
【請求項１３】
上記データアイテムのコンテンツは、繰り返しのたびに現在値への更新を受ける請求項１２に記載のショートレンジＲＦネットワーク。
【請求項１４】
上記要求されたデータは、移動ターミナルからの所定信号が作動されるまで要求されたままである請求項１３に記載のショートレンジＲＦネットワーク。
【請求項１５】
上記要求されたデータは、所定長さを有し、そして上記要求されたデータは、その所定長さのデータが送信された後に要求が停止される請求項１に記載のショートレンジＲＦネットワーク。
【請求項１６】
上記少なくとも１つのリソースは、所定の時間周期中に上記複数のノードのいずれかと以前に通信していた移動装置に関する情報を含む周期的に更新される第４データベースにアクセスすることができ、そして
少なくとも１つの他の移動装置が上記ショートレンジＲＦネットワークの複数のノードのいずれかのノードのカバレージエリアに入ったとき、上記少なくとも１つのリソースは、上記少なくとも１つの他の移動装置が、上記所定の時間周期中に上記ショートレンジＲＦネットワークの複数のノードのいずれかと通信していたかどうか決定し、そして
上記周期的に更新される第４データベースに記憶された情報が、上記少なくとも１つの他の移動装置が、上記所定の時間中に上記ショートレンジＲＦネットワークの複数のノードのいずれかと通信していたことを指示する場合には、上記少なくとも１つのリソースは、上記周期的に更新される第３データベースを走査して、一時的記憶部に要求されたデータがまだあるかどうか決定し、そしてその要求されたデータが一時的記憶部に存在する場合に、上記少なくとも１つのリソースは、上記第２データベースに記憶された周期的に更新される情報に基づいて上記少なくとも１つの他の移動装置と通信しているノードへ上記データを供給する請求項１に記載のショートレンジＲＦネットワーク。
【請求項１７】
データパケットを受け取る上記ノードは、上記少なくとも１つの他の移動装置が上記第１データベースに記憶された周期的に更新される情報に基づいて上記ノードと依然通信しているかどうか決定し、そして
上記少なくとも１つの他の移動装置が上記第１データベースに記憶された情報に基づいて上記ノードと依然通信している場合に、上記ノードが上記要求されたデータを上記少なくとも１つの他の移動装置へ転送する請求項１６に記載のショートレンジＲＦネットワーク。
【請求項１８】
上記少なくとも１つの他の移動装置が上記第１データベースに記憶された周期的に更新される情報に基づいて上記ノードと通信していないと上記ノードが決定した場合には、上記ノードは、上記要求されたデータを、周期的に更新される第３のデータベースに一時的記憶のために転送する請求項１７に記載のショートレンジＲＦネットワーク。
【請求項１９】
上記少なくとも１つのリソースは、他のノード及び上記少なくとも１つの他の移動装置と通信することのできる上記ショートレンジＲＦネットワークの制御ノードとして選択されたノードを含み、該制御ノードは、この制御ノードと現在通信している上記少なくとも１つの他の移動装置に関する情報を維持するための周期的に更新される第１データベースを含む請求項１６に記載のショートレンジＲＦネットワーク。
【請求項２０】
上記少なくとも１つの移動装置及び上記少なくとも１つの他の移動装置は、同じ装置である請求項１６に記載のショートレンジＲＦネットワーク。
【請求項２１】
上記少なくとも１つのリソースは、更に、他のネットワークへのゲートウェイである請求項１６に記載のショートレンジＲＦネットワーク。
【請求項２２】
上記複数のノードの少なくとも１つは、上記少なくとも１つのリソースのカバレージエリアの外に配置され、そして上記複数のノードの少なくとも１つの他のノードを経て中継することにより上記少なくとも１つのリソースと通信する請求項１６に記載のショートレンジＲＦネットワーク。
【請求項２３】
上記ショートレンジＲＦネットワークは、ブルーツースネットワークである請求項１６に記載のショートレンジＲＦネットワーク。
【請求項２４】
ショートレンジＲＦネットワークを動作する方法であって、このネットワークは、互いに且つ少なくとも１つのリソースにワイヤレス接続された複数のノードと、該複数のノードの少なくとも１つとワイヤレス通信し且つ１つのノードのカバレージエリアから別のノードのカバレージエリアへローミングすることのできる少なくとも１つの移動装置とを備え、上記方法は、
上記ショートレンジＲＦネットワークの各ノードに対し上記複数のノードの少なくとも１つと現在通信している上記少なくとも１つの移動装置に関する情報を維持するための第１データベースを周期的に更新し、
上記少なくとも１つのリソースにおいて、上記ショートレンジＲＦネットワークの複数のノードに関する情報と、上記ショートレンジＲＦネットワークの各ノードの上記第１データベースに関する関連情報とを含む第２データベースを周期的に更新し、
上記ショートレンジＲＦネットワークを使用してデータに対する要求を送信し、この要求は、上記少なくとも１つの移動装置のユーザにより開始されたものであり、この要求を上記少なくとも１つのリソースへ転送し、そして
上記少なくとも１つのリソースの上記第２データベースに記憶された上記第１データベースに関する周期的に更新された関連情報に基づいて上記少なくとも１つの移動装置と通信しているノードに上記要求されたデータを供給する、
という段階を備えた方法。
【請求項２５】
上記要求されたデータを受け取る上記ノードは、上記少なくとも１つの移動装置が上記ノードと依然通信しているかどうか決定し、そして
上記少なくとも１つの移動装置が上記第１データベースに記憶された上記周期的に更新される情報に基づいて上記ノードと依然通信している場合に、上記要求されたデータを上記少なくとも１つの移動装置に転送する請求項２４に記載の方法。
【請求項２６】
上記決定が、上記少なくとも１つの移動装置が上記第１データベースに記憶された上記周期的に更新される情報に基づいて上記ノードと通信していないことを指示する場合には、上記要求されたデータを、周期的に更新される第３データベースに一時的記憶のために転送する請求項２５に記載の方法。
【請求項２７】
上記第１データベースは、上記ショートレンジＲＦネットワークの各ノード内に各々配置される請求項２４に記載の方法。
【請求項２８】
上記少なくとも１つのリソースの上記第２データベースに記憶された上記第１データベースに関する上記周期的に更新される関連情報が、上記少なくとも１つの移動装置が複数のノードのいずれとも通信していないことを指示する場合には、上記要求されたデータを、周期的に更新される第３データベースに一時的記憶のために送信する請求項２４に記載の方法。
【請求項２９】
上記少なくとも１つのリソースの上記第２データベースに記憶された上記第１データベースに関する上記周期的に更新される関連情報が、上記少なくとも１つの移動装置が複数のノードのいずれかと通信するように復帰したことを指示する場合には、上記要求されたデータを上記第３データベースから検索して、上記少なくとも１つの移動装置へ転送する請求項２８に記載の方法。
【請求項３０】
上記少なくとも１つのリソースの上記第２データベースに記憶された上記第１データベースに関する上記周期的に更新される関連情報が、上記少なくとも１つの移動装置が複数のノードの異なる１つと通信するように復帰したことを指示し、且つ上記第３データベースに記憶された上記要求されたデータが、上記少なくとも１つの移動装置が最後に通信したノードのカバレージエリアのみに関連する場合には、上記複数のノードの上記異なる１つに関連したデータを上記少なくとも１つの移動装置に転送する請求項２８に記載の方法。
【請求項３１】
上記少なくとも１つのリソースは、上記ショートレンジＲＦネットワークの他のノード及び上記少なくとも１つの移動装置と通信することのできる上記ショートレンジＲＦネットワークの制御ノードとして選択されたノードを含み、該制御ノードは、この制御ノードと現在通信している上記少なくとも１つの移動装置に関する情報を維持するための第１データベースを周期的に更新する請求項２４に記載の方法。
【請求項３２】
上記少なくとも１つのリソースは、更に、他のネットワークへのゲートウェイである請求項２４に記載の方法。
【請求項３３】
上記複数のノードの少なくとも１つは、上記少なくとも１つのリソースのカバレージエリアの外に配置され、そして上記複数のノードの少なくとも１つの他のノードを経て中継することにより上記少なくとも１つのリソースと通信する請求項２４に記載の方法。
【請求項３４】
上記ショートレンジＲＦネットワークは、ブルーツースネットワークである請求項２４に記載の方法。
【請求項３５】
上記要求されたデータは、データアイテムの所定セットの連続的な繰り返しを含む請求項２４に記載の方法。
【請求項３６】
上記データアイテムのコンテンツは、繰り返しのたびに現在値への更新を受ける請求項２４に記載の方法。
【請求項３７】
上記要求されたデータは、移動ターミナルからの所定信号が作動されるまで要求されたままである請求項２４に記載の方法。
【請求項３８】
上記要求されたデータは、所定長さを有し、そして上記要求されたデータは、その所定長さのデータが送信された後に要求が停止される請求項２４に記載の方法。
【請求項３９】
上記少なくとも１つのリソースは、所定の時間周期中に上記複数のノードのいずれかと以前に通信していた移動装置に関する情報を含む周期的に更新される第４データベースにアクセスすることができ、そして
少なくとも１つの他の移動装置が上記ショートレンジＲＦネットワークの複数のノードのいずれかのノードのカバレージエリアに入ったとき、上記少なくとも１つのリソースは、上記少なくとも１つの他の移動装置が、上記所定の時間周期中に上記ショートレンジＲＦネットワークの複数のノードのいずれかと通信していたかどうか決定し、そして
上記周期的に更新される第４データベースに記憶された情報が、上記少なくとも１つの他の移動装置が、上記所定の時間中に上記ショートレンジＲＦネットワークの複数のノードのいずれかと通信していたことを指示する場合には、上記少なくとも１つのリソースは、上記周期的に更新される第３データベースを走査して、一時的記憶部に要求されたデータがまだあるかどうか決定し、そしてその要求されたデータが一時的記憶部に存在する場合には、上記第２データベースに記憶された周期的に更新される情報に基づいて上記少なくとも１つの他の移動装置と通信しているノードへ上記データを供給する請求項２４に記載の方法。
【請求項４０】
データパケットを受け取る上記ノードは、上記少なくとも１つの他の移動装置が上記第１データベースに記憶された周期的に更新される情報に基づいて上記ノードと依然通信しているかどうか決定し、そして
上記少なくとも１つの他の移動装置が上記第１データベースに記憶された情報に基づいて上記ノードと依然通信している場合に、上記要求されたデータを上記少なくとも１つの他の移動装置へ転送する請求項３９に記載の方法。
【請求項４１】
上記決定が、上記少なくとも１つの他の移動装置が上記第１データベースに記憶された周期的に更新される情報に基づいて上記ノードと通信していないことを指示する場合には、上記要求されたデータを、周期的に更新される第３のデータベースに一時的記憶のために転送する請求項４０に記載の方法。
【請求項４２】
上記少なくとも１つのリソースは、他のノード及び上記少なくとも１つの他の移動装置と通信することのできる上記ショートレンジＲＦネットワークの制御ノードとして選択されたノードを含み、該制御ノードは、この制御ノードと現在通信している上記少なくとも１つの他の移動装置に関する情報を維持するための周期的に更新される第１データベースを含む請求項３９に記載の方法。
【請求項４３】
上記少なくとも１つの移動装置及び上記少なくとも１つの他の移動装置は同じ装置である請求項３９に記載の方法。
【請求項４４】
上記少なくとも１つのリソースは、更に、他のネットワークへのゲートウェイである請求項３９に記載の方法。
【請求項４５】
上記複数のノードの少なくとも１つは、上記少なくとも１つのリソースのカバレージエリアの外に配置され、そして上記複数のノードの少なくとも１つの他のノードを経て中継することにより上記少なくとも１つのリソースと通信する請求項３９に記載の方法。
【請求項４６】
上記ショートレンジＲＦネットワークは、ブルーツースネットワークである請求項３９に記載の方法。
【発明の詳細な説明】
【技術分野】
【０００１】
本発明は、ショートレンジＲＦネットワークに係り、より詳細には、クライアントがネットワークを経てローミングするときのクライアント通信に係る。
【背景技術】
【０００２】
種々の形式の通信装置が入手できることから、コスト効率が良くて容易に実施できるやり方でこれらの装置を互いに対話させる必要性が生じている。このような通信は、電気導体を装置に接続するような布線接続や、或いは赤外線信号又は高周波（ＲＦ）信号を使用したワイヤレス通信により、２つ以上のターミナル装置（例えば、電話、コンピュータ、プリンタ、ファクシミリマシン、パーソナルデジタルアシスタント（ＰＤＡ）等）間で行うことができる。多くの用途では、ターミナル装置対の送信器と受信器との間に視線対話を必要としないので、ＲＦ信号が好ましい。
【０００３】
最近では、ショートレンジ通信リンクを経て複数のトランシーバ間で通信を行うための低電力ＲＦシステムが提案されている。１つのこのようなショートレンジＲＦ技術が現在開発されており、「ブルーツース(Bluetooth)」として知られている。このシステムは、近い将来、商業的に入手でき、２．４５ＧＨｚ付近のオープンスペクトルで動作する。この非認可の無線帯域は、工業−科学−医療（ＩＳＭ）バンドとして知られているもので、全世界的に利用できるものである。このブルーツースＲＦシステムの動作レンジは、通常電力モードに対して約１０メーターであり、経済効率が良いことが分かっている。
【０００４】
その国の使用可能な帯域巾に基づいて（ヨーロッパの一部分及び米国では、８３．５ＭＨｚの帯域巾が使用可能であり、これは、日本、スペイン及びフランスで使用可能な帯域より広い）、７９個又は２３個のいずれかのＲＦチャンネルが使用され、チャンネルの分離度は、１ＭＨｚである。チャンネルは、７９個又は２３個のＲＦチャンネルを通る擬似ランダムホッピングシーケンスにより表わされる。ホッピングは、ピコネットと称される小さなエリアにおいて独特のものである。ピコネットにおいて、ブルーツース装置の１つがマスターとして働き、他の装置がスレーブとして働く。
【０００５】
各チャンネルは、更に、その巾が各々６２５lｓのタイムスロットに分割され、その間にマスター及びスレーブによりパケットを送信することができる。規定の特性を有するブルーツースチップが、種々の電子装置にインストールされて、その個別装置間で通信を行えるようにすることが計画されている。
【０００６】
ワイヤレスリレーネットワークも存在し、これは、実際上、リレー装置を使用し、２つ以上のターミナル装置にインターフェイスしてそれらの間で通信を行うことにより、ローカルＲＦシステムの動作レンジを拡張するものである。このようなネットワークがＰＣＴ出願第ＷＯ９８／１７０３２号に開示されており、この場合、複数の通信ノードが互いに且つホスト装置にワイヤレス接続され、ノードにインターフェイスされたホストとターミナル装置との間にデータを通信するための多数の通信リンクを形成する。
【発明の開示】
【発明が解決しようとする課題】
【０００７】
このようなシステムは、デパートやショッピングモールのような場所に配備されるときには、頼みもしない広告やプロモーションメッセージをターミナル装置へ供給するように拡張される。又、このようなシステムは、ショートレンジワイヤレスリレーネットワークに接続されたターミナル装置がインターネットセッションを開始できるようにするインターネットサービスも含むように拡張される。しかしながら、このようなシステムは、ターミナル装置のユーザが１つのトランシーバのカバレージエリアから別のトランシーバのカバレージエリアへローミングするときに、欠点が生じる。このようなシステムの１つの欠点は、ターミナル装置が１つのノードのカバレージエリアから別のノードのカバレージエリアへローミングするときにそのターミナル装置のインターネットアドレスが変化して、進行中のインターネットセッションを実際上終了させ、従って、ターミナル装置がローミングするときには新たなインターネット接続を行う必要があることである。このようなシステムの別の欠点は、通信を開始したときにその位置に基づいてターミナル装置に供給されるローカルコンテンツが、異なるトランシーバのカバレージエリアへローミングした後には、もはや適当でなくなることである。
【課題を解決するための手段】
【０００８】
上述した公知技術の制約を克服すると共に、本明細書を読んで理解したときに明らかとなる他の制約を克服するために、本発明は、ワイヤレスショートレンジネットワーク内で動作しているワイヤレスターミナルがそのショートレンジネットワークを経て移動している間にそのワイヤレスターミナルにサービスを通信するためのシステム、装置及び方法を開示する。このワイヤレスターミナルは、現在のいずれかのナビゲーション構造に限定されるものではなく、サービスにリモートアクセスする能力を備えたものである。
【０００９】
本発明は、その１つの態様において、ショートレンジＲＦネットワークであって、互いに且つ少なくとも１つのリソースにワイヤレス接続された複数のノードと、該複数のノードの少なくとも１つとワイヤレス通信し且つ１つのノードのカバレージエリアから別のノードのカバレージエリアへローミングすることのできる少なくとも１つの移動装置と、ショートレンジＲＦネットワークの各ノードに対し上記複数のノードの少なくとも１つと現在通信している上記少なくとも１つの移動装置に関する情報を維持するための周期的に更新される第１データベースとを備え、上記少なくとも１つのリソースは、ショートレンジＲＦネットワークの複数のノードに関する情報と、ショートレンジＲＦネットワークの各ノードの上記第１データベースに関する関連情報とを含む周期的に更新される第２データベースを有し、上記少なくとも１つの移動装置は、ショートレンジＲＦネットワークを使用してデータに対するユーザ開始要求を送信するように構成され、上記ネットワークは、上記要求を上記少なくとも１つのリソースへ転送するように構成され、そして上記少なくとも１つのリソースは、その少なくとも１つのリソースの上記第２データベースに記憶された上記第１データベースに関する周期的に更新された関連情報に基づいて上記少なくとも１つの移動装置と通信しているノードに上記ネットワークを経て上記要求されたデータを供給するように構成されたショートレンジＲＦネットワークを提供する。
【００１０】
本発明は、その別の態様において、ショートレンジＲＦネットワークを動作する方法であって、このネットワークは、互いに且つ少なくとも１つのリソースにワイヤレス接続された複数のノードと、該複数のノードの少なくとも１つとワイヤレス通信し且つ１つのノードのカバレージエリアから別のノードのカバレージエリアへローミングすることのできる少なくとも１つの移動装置とを備え、上記方法は、ショートレンジＲＦネットワークの各ノードに対し上記複数のノードの少なくとも１つと現在通信している上記少なくとも１つの移動装置に関する情報を維持するための第１データベースを周期的に更新し、上記少なくとも１つのリソースにおいて、ショートレンジＲＦネットワークの複数のノードに関する情報と、ショートレンジＲＦネットワークの各ノードの上記第１データベースに関する関連情報とを含む第２データベースを周期的に更新し、ショートレンジＲＦネットワークを使用してデータに対する要求を送信し、この要求は、上記少なくとも１つの移動装置のユーザにより開始されたものであり、この要求を上記少なくとも１つのリソースへ転送し、そして上記少なくとも１つのリソースの上記第２データベースに記憶された上記第１データベースに関する周期的に更新された関連情報に基づいて上記少なくとも１つの移動装置と通信しているノードに上記要求されたデータを供給するという段階を備えた方法を提供する。
【００１１】
本発明の他の目的及び特徴は、添付図面を参照した以下の詳細な説明から明らかとなろう。しかしながら、全体にわたり同様の要素が同じ参照番号で示された添付図面は、説明のためのものに過ぎず、本発明の範囲を何ら規定するものではなく、本発明の範囲は、特許請求の範囲により限定される。更に、添付図面は、必ずしも正しい縮尺で描かれておらず、特に指示のない限り、ここに開示する構造及び手順を概念的に示すだけであることを理解されたい。
【発明を実施するための最良の形態】
【００１２】
種々の実施形態の以下に説明において、本明細書の一部分を形成し、本発明を実施する種々の実施形態を一例として示す添付図面を参照する。他の実施形態も使用できると共に、本発明の範囲から逸脱せずに構造的及び機能的変更がなされえることを理解されたい。
【００１３】
図１は、本発明による通信システムの一実施形態を示すブロック図である。このようなシステムは、通常、デパート、ショッピングモール又は工場フロアのようなサイト、即ち比較的小さいが、通常、最大レンジ１００メーター未満の単一のショートレンジＲＦトランシーバでカバーできる以上のエリアに配備される。複数のショートレンジＲＦトランシーバ４００ないし４ｎｎがノードとして配備され、その各々がサイトの特定部分をカバーするようにして全サイトをカバーするように物理的に配置される。各ノードは、ノードデータベース４００−１０、４１０−ｎ、・・４ｎｎ−１０を含む。通常、２つの隣接ノードのカバレージエリア間に重畳が存在する。
【００１４】
複数のユーザがこのシステムを使用することができる。各ユーザには、ショートレンジＲＦ通信を行うことのできるターミナルが装備されねばならない。これらのターミナルは、この例示的システムでは、番号５００ないし５ｎｎで示されている。図１の例では、５２３と任意に識別された１つのこのようなターミナル装置だけが示されている。ターミナル装置（システムの「クライアント」）は、通常、セルラー又はＧＳＭシステムのような移動電話システム並びにショートレンジＲＦノードに関連して機能するように装備された移動電話である（これに限定されないが）。ターミナル装置は、通常、音声及びデータの両通信機能を果たすことができる。ターミナル装置のデータ通信能力は、通常、ワールド・ワイド・ウェブに使用されるワイヤレスアプリケーションプロトコル（ＷＡＰ）規格に適合するものである。
【００１５】
本発明のシステムは、音声及びデータの受信及び送信を含むノード４００−４ｎｎのアクティビティを整合する少なくとも１つのネットワークホスト１００を備えている。図１の例では、全てのノードは、ネットワークホスト１００と直接通信するものとして示されている。ある配備では、幾つかのノードがネットワークホスト１００のレンジ内になく、他のノードを経て中継することによりネットワークホスト１００と通信する。このようなルーティングは、関連特許出願第０９／６１４，５０８号に開示されている。
【００１６】
ターミナル装置のユーザは、ユーザが現在位置しているカバレージエリアのノードと通信を開始する。図１に示す例では、ターミナル装置５２３のユーザは、ノード４００との通信を開始し、このノードは、次いで、ブルーツースチップ１２０を経てネットワークホスト１００へユーザを接続する。ユーザは、他のターミナル（図示せず）のユーザと会話するか、或いはインターネット２５０を経てウェブサーバー２６０又はリモートユーザ２７０と通信するように選択することができる。ネットワークホスト１００は、ＬＡＮ３００を経てこのネットワークホストをコンテンツサーバー２００にリンクするＬＡＮインターフェイス１４０を備えている。コンテンツサーバー２００は、インターネット２５０への所望の通信をリンクするＷＡＰ／Ｗｅｂサーバー２３０を含む。ネットワークホスト１００は、コンテンツデータベース２１０Ｂと、インターネット２５０を経て通信するその能力とを伴うコンテンツサーバー２００と共に、ユーザの要求があったときにコンテンツを得るためのリソースを構成する。
【００１７】
ネットワークホスト１００は、ホストデータベース１１０を備え、これは、クライアントデータベース１１０Ａとノードデータベース１１０Ｂに分割される。
クライアントデータベース１１０Ａは、次のような各クライアントに対するクライアント従属情報を記憶する。
クライアントアドレス（即ちクライアントのブルーツースアドレス）。
ノードアドレス（即ちクライアントを接続するときに通るノード）。
クライアントのＩＰ番号。
クライアントのポート番号。
クライアントの状態（アクティブ／インアクティブ）。
【００１８】
ノードデータベース１１０Ｂは、次のようなノード従属情報を記憶する。
ノード間のルーティング及び接続に関連した全ての情報。
接続設定（クライアントとノードとの間に接続が形成されるときにクライアントに送信されるパラメータ）。これらのパラメータは、例えば、ＷＡＰサービスＵＲＬのように、サーバーからの情報にアクセスするときにクライアントに代わって適用される。（ノード識別は、ＵＲＬに含まれ、位置従属サービスの基礎を形成する。）
エイリアス名及び他の設定を含むノード従属情報。
手前の所定時間内にネットワークのカバレージエリア内にいたクライアントに関する情報。
【００１９】
コンテンツサーバー２００は、通常、少なくとも次のソフトウェアが装備されたＰＣである。
ＷＡＰ／ＷＥＢサーバー２３０（クライアントの形式に基づきＷＡＰ又はＷＥＢ）。
ネットワークアプリケーション２２０（位置従属サービスを含むクライアントサービスを提供するためのサーブレット又は他のソフトウェア要素の集合）。
アドミニストレーションソフトウェア２２５（ノード及びネットワークを構成する際に適用される）。
【００２０】
コンテンツサーバー２００は、サーバーデータベース２１０を備え、これは、次いで、ホストデータベース１１０の鏡像コピー２１０Ａ、コンテンツデータベース２１０Ｂ及びクライアントデータベース２１０Ｃを含む。
コンテンツデータベース２１０Ｂは、一般的なコンテンツと、位置及び時間従属情報（例えば、マップ、特定ノードのみを行先とする広告、等）とを含む。このデータベースに対して、ノードアドレス／ノードエイリアス名、コンテンツの形式（広告、警告、マップ、アナウンスメント等）、放送スケジュール及びキーワードのような多数のキーが存在する。
【００２１】
クライアントデータベース２１０Ｃは、次のものを含む。
パーソナルコンテンツを発生するために適用できるパーソナル情報。この情報は、クライアントアドレスに基づいてアクセスされる。
一時的コンテンツ（クライアント接続の現在状態及びコンテンツを記憶し、ハンドオフ、即ちクライアントが最初のノードの範囲から出て別のノードへの接続を形成するときに適用できる）。
【００２２】
アドミッションソフトウェア２２５は、ノードデータベース１１０Ｂをオープンして鏡像データベース２１０Ａにコンテンツをセーブすることのできるアプリケーションを含む。アドミッションソフトウェア２２５は、ネットワークオペレータがノードデータベース１１０Ｂを変更し（例えば、エイリアス名及び接続パラメータを与え）そしてその変更をネットワークホスト１００にセーブできるようにし、ネットワークホストは、その変更をノードに配布する。
【００２３】
コンテンツデータベース２１０Ｂは、コンテンツ（例えば、テキスト）を直接含んでもよいし、又は他のコンテンツソースへのリンク（例えば、ＷＡＰデッキを指すＵＲＬ）を含んでもよい。各データベースエントリーは、どのノードが現在コンテンツを受信すべきかを表わすノードアドレス又はエイリアス名のリストを含む。コンテンツは、ストリーミングコンテンツ、例えば、ユーザのスクリーンを連続的に繰り返しスクロールする株式レポート、又は個別の非繰り返し部分より成るワンタイムコンテンツでよい。
【００２４】
クライアントがノードのレンジに入ると、「ブルーツース問合せ」手順がそのノード及びクライアント装置におけるブルーツーストランシーバに対して使用され、互いに学習すると共に、互いのブルーツースアドレスが得られるようにする。その後、ＰＰＰ接続が形成され、そしてクライアントには、ＩＰ番号及びポートが指定される（ネットワークホストのＩＰ番号及びクライアントのポート番号を使用することによりネットワークの外部からクライアントにコンタクトすることができる）。それに対応する情報（クライアントアドレス、ノードアドレス、クライアントＩＰ番号、クライアントポート番号）がクライアントデータベース１１０Ａに記憶される。接続パラメータ（例えば、ＵＲＬのようなＷＡＰ接続パラメータ）がクライアントに送信され、その後、クライアントは、それに対応する情報（例えば、ＷＡＰデッキ）をネットワークから要求する。
【００２５】
要求されたＵＲＬは、サーブレットに対してクライアントを独特に識別する。又、ＵＲＬは、サーブレットへ送信される多数のパラメータフィールドも含む（クライアントアドレス及びノードアドレス）。
コンタクトしたサーブレットは、コンテンツデータベース２１０Ｂ（位置従属）をサーチすることによりクライアントに対するコンテンツを発生する。クライアントがデータベースにおいてパーソナル化されている場合には、発生されたコンテンツをパーソナル化する（そしてコンテンツをフィルタもする）ことができる。
【００２６】
サーブレット／ＷＡＰサーバーは、ＩＰ：ポートアドレスを適用することにより、発生されたアドレスをクライアントに送信する。クライアントのＩＰ：ポートがコンテンツサーバーから直接解けない場合には、ホストから要求することができる（クライアントアドレスに基づいてキーイングされたとき）。クライアントは、コンテンツを受け取り、リンクをたどり、付加的なコンテンツを要求することができる。
【００２７】
コンテンツ（例えば、ＷＡＰデッキ）及び他の接続パラメータは、クライアントデータベース２１０Ｃに一時的コンテンツとして記憶される。クライアントデータベース２１０Ｃのこの一時的コンテンツ部分は、キャッシュメモリとして働き、そしてハンドオフ中にパラメータを保存するのに使用できる。
クライアントがノードに接続されると、その状態がクライアントデータベースにおいて「アクティブ」とマークされる。クライアントは、ノードのブルーツースレンジ内に位置する限り、接続されたままとなる。接続がもはや不可能になると（例えば、クライアントがレンジ外となる）、接続が終了される。この情報は、ノードによりネットワークホストに転送される（状態は、インアクティブとマークされる）。
【００２８】
最後に送信されたコンテンツは、クライアントデータベース２１０Ｃの一時的コンテンツ部分に残される。クライアントが別のノードに接続しそしてノード／クライアントがＵＲＬを要求すると、以前の接続が最近終了されたことが明らかとなる。このような場合、クライアントデータベース２１０Ｃの一時的コンテンツ部分に配置されたコンテンツがクライアントへ送信される。これに対する例外は、終了された接続と新たな接続との間の遅延が相当に長い（例えば、１時間）場合と、ノードが変更されるたびにコンテンツを更新するサービス（例えば、ルーティングサービス及びマップ）をクライアントが使用する場合である。
【００２９】
ノードへの新たな接続が形成され、位置従属コンテンツが発生され、そして一時的コンテンツに情報が存在するときには、古い情報と新しい情報を結合してクライアントに送信することができる。
２つの個別の物理的エンティティとしてホスト１００及びコンテンツサーバー２００を編成することは、特定の実施形態における設計上の問題であり、本発明をそのような構成に限定するものではない。ホスト１００及びコンテンツサーバー２００の要素は、単一の中央リソースを含む別の数の物理的エンティティ内に存在してもよい。
【００３０】
上記実施形態に関連して使用されるデータベースのコンテンツが図２に要約されている。又、図２に示すように、各ノード４ｎｎは、ノードにより使用される内部データを記憶するノードデータベース４ｎｎ−１０と、ノードに現在接続された各クライアントに対するノード関連クライアントデータを含むクライアントデータベースと、隣接ノードに関するデータを含む隣接ノードデータベースとを有する。
【００３１】
本発明のシステムの動作を、典型的なクライアントがシステムを通してローミングすることにより生じるアクションに関して包括的に以下に説明する。図３は、ノード４００、４１０、４２０、４３０及び４４０が各々重畳するカバレージエリア４００−１、４１０−１、４２０−１、４３０−１及び４４０−１を有する典型的な配備の一部分を示す。クライアント５２３は、ポイント４００−２においてカバレージエリア４００−１に入るときに、システムのカバレージエリアに入る。ここに示す例では、ポイント４００−３において、クライアント５２３は、インターネット２５０（図１）を経てネットワークサーバーコンテンツを要求する。ポイント４００−４において、クライアントは、カバレージエリア４００−１を出、そしてカバレージエリア４１０−１に入る。本発明のシステムがネットワークサーバーコンテンツへのクライアント５２３の接続をいかに途切れずに保持するかについて以下に説明する。
【００３２】
クライアント５２３がポイント４００−２においてノード４００のカバレージエリアに入ったときに（図３に示すように）、図４のフローに入る。ノード４００及びクライアント５２３の両方は、与えられた問合せ手順、例えば、ブルーツースネットワークの場合には、トランシーバのカバレージエリア内で他のＢＴトランシーバを学習するためのブルーツース仕様に基づく「サービスディスカバリープロトコル（ＳＤＰ）」を周期的に実行する。ステップ４−２は、クライアント５２３及びノード４００が、低レベルＢＴ接続を形成するものとしてこの技術で知られている互いのＢＴアドレスを学習することを示す。ステップ４−４は、ノード４００がクライアント５２３とのＰＰＰ接続を開始することを示す。ブロック４−６及び４−８では、ノード４００及びホスト１００が、クライアント５２３に指定されるべき使用可能なポート番号を決定し、ステップ４−１０では、図１に１４７．１９．２０２．８：８４２と例示されたＩＰ：ポート番号がクライアント５２３へ搬送され、ここで、１４７．１９．２０２．８の部分は、本ショートレンジＲＦネットワークに関連したＩＰ番号であり、そして８４２は、ブロック４−６及び４−８で指定されたポート番号である。ステップ４−１２では、クライアントデータベース１１０Ａは、クライアント５２３の新たな接続に関する情報で更新される。
【００３３】
図３を参照して述べたように、クライアント５２３は、ポイント４００−３においてコンテンツを受信することを要求する。図５を参照して述べるように、その要求されたコンテンツが得られ、ステップ５−１６において、クライアント５２３へ転送される。
【００３４】
図５において、ステップ４００−３は、コンテンツに対するクライアントの要求を指示し、これは、ノード４００に転送され、ノード４００は、次いで、ステップ５−１において、ホスト１００を経てサーバー２００へＵＲＬ要求を転送し、ブロック５−２において、コンテンツが発生されてパーソナル化される。これは、コンテンツデータベース２１０Ｂからコンテンツを検索するか、又はリモートサーバーからインターネット２５０を経てコンテンツを得る（説明せず）ことを含む。ステップ５−４は、コンテンツをホスト１００に転送することを示し、ブロック５−６において、コンサルティングクライアントデータベース１１０Ａからノード及びルートが決定される。ブロック５−８では、クライアントが依然アクティブな状態であるかどうかチェックされ、即ち、ここに示す例では、ここまでのところ、クライアント５２３がノード４００においてアクティブであり、従って、ステップ５−１０においてコンテンツがノード４００へ転送される。クライアントがノードのカバレージエリアを去った場合には、ステップ５−１２により、送信データが記憶装置２１０Ｃに記憶される。ブロック５−１４では、クライアントの状態が再びアクティブとして確認され、ステップ５−１６において、コンテンツがクライアント５２３へ転送される。ステップ５−２０では、コンテンツが一時的に供給されることをマークするためにクライアントデータベース２１０Ｃが更新される。クライアントがノードのカバレージエリアを去った場合には、ステップ５−２４において、コンテンツが記憶装置２１０Ｃに記憶される。クライアントの復帰時にそのコンテンツを転送することについて、図７を参照して説明する。
【００３５】
ここに示す例では、クライアント５２３は、ポイント４００−４においてカバレージエリア４００−１を去り、従って、クライアントの状態がインアクティブへ変化する。又、この例では、クライアント５２３により要求されるコンテンツは、進行中の性質のものであり、ブロック５−２から発生し続ける。ブロック５−８では、クライアントの状態がインアクティブであると決定され、コンテンツが一時的コンテンツデータベース２１０Ｃに記憶され、非供給とマークされる。コンテンツは、ユーザが所定時間内にネットワークに復帰する場合にはその時間中データベース２１０Ｃに保持される。ブロック５−８は、クライアントがアクティブであることを検出し、そしてクライアントのインアクティブな状態を指示するようにホストデータベース１１０Ａが更新される前に、コンテンツをノード４００へルーティングし、そしてステップ５−１０は、コンテンツをノード４００へ転送するために実行され、ブロック５−１４は、インアクティブな状態を検出しそしてステップ５−１８を実行して、コンテンツを、データベース２１０Ｃに記憶するために返送することが考えられる。
【００３６】
図６のブロック６−２に示すように、ノード４００は、クライアント５２３を含む現在アクティブな全てのクライアントを周期的にポーリングし（ステップ６−４）、クライアント５２３は、カバレージエリア４００−１を去った後は、もはや応答しなくなる。これは、ブロック６−６で検出され、そしてステップ６０８が実行されて、クライアント５２３の状態をホスト１００においてインアクティブに更新する。ここに示す例では、クライアント５２３は、ノード４１０のカバレージエリアへ到来し、上述した問合せ手順により、ノード４１０と低レベルＢＴ接続を形成し（ステップ６−１０及び６−１２）、これは、再接続手順６−１４を呼び出し、図４を参照して述べたように、ノード４００との以前の接続が確立されたのと同様に、ノード４１０との新たな接続を確立する。ここに示す例示的筋書きにおいて、クライアント５２３は、ノード４００のレンジを去った直後にノード４１０のレンジに入るが、本発明のシステム及び方法は、ノードのレンジを去ったある時間の後にノードのレンジに入るユーザに対しても再接続を与えることを理解されたい。
【００３７】
図７を参照すれば、再接続の際に、ブロック７−２は、クライアント５２３が、通常５分ないし１時間程度の値にプリセットされる所定時間より長く切断されたかどうかチェックする。クライアント５２３の以前のＩＰ：ポートは、この時間長さ中に予約され、この時間内に再接続が行われた場合には、同じＩＰ：ポートがクライアント５２３に再指定され、この場合に、ステップ７−４は、クライアント５２３に代わって記憶されたコンテンツを検索するように処理する。クライアント５２３が所定時間以上切断されていた場合には、ステップ７−６は、ブロック７−８を呼び出し、新たなＩＰ：ポートを与えると共に、コンテンツの新たな送信を開始する（ステップ７−１０、７−１２、７−１４）。この所定の待機時間は、新たに接続されて、クライアント５２３が以前に有していたＩＰ：ポートをもつチャンスが与えられたクライアント５ｎｎが、上記クライアント５２３が要求したコンテンツの部分を予期せずに受信するのを防止する。
【００３８】
経路７−１４がとられる場合には、ステップ７−１６が呼び出されて、以前に記憶されたコンテンツがデータベース２１０Ｃから検索されると共に、ブロック７−１８は、このコンテンツから、クライアント５２３の現在位置に対してそれが依然として有効であるかどうか決定する。従って、コンテンツは、クライアント５２３へ転送され（ステップ７−３６、７−３８、７−４０）、クライアント５２３の現在位置に対して変更されて転送され（ブロック７−２４及びステップ７−２６、７−２８及び７−３０）、或いはクライアント５２３の現在位置に対して新たに発生される（ブロック７−３４及びステップ７−３６、７−３８及び７−４０）。
【００３９】
図８は、多数のユーザが図３に示す環境を経てローミングするときに生じる典型的な筋書きを示す。ユーザ８０１は、この例示的時間周期のスタート時刻である３：００にノード４００のカバレージエリアに既にいる。この例示的筋書きの３：００：２０に、ユーザ８０１は、おそらくサーバー２６０から上述したインターネットを経てコンテンツを要求する。ユーザ８０１の要求は、送信８３５を開始し、これは、例えば、株価の相場の連続ストリーミングスクロールである。ユーザ８０１は、３：１２：３４に送信の終了を要求する。従って、送信８３５は、その時間巾が１２分２５秒であり、その間にユーザ８０１はノード４００のカバレージエリアに連続的に留まり、従って、送信を中止する必要はなかった。
【００４０】
３：１４の直前に、ユーザ８０１は、他のカバレージエリアへ通過しない位置においてノード４００のカバレージエリアを立ち去る。３：１５の直前に、ユーザ８０１は、ノード４１０のカバレージエリアに入る。３：１６：１５に、ユーザ８０１は、コンテンツを要求し、これは、送信８３９において自分の移動ターミナルに到着し始める。３：１６：４０に、ユーザは、他のカバレージエリアに入らないように、ノード４１０のカバレージエリアからローミングして出る。上述したように、ユーザに意図されたコンテンツは、所定時間中バッファされる。３：１８：００に、ユーザ８０１は、ノード４１０のカバレージエリアに再入し、このとき、バッファされたコンテンツと、その後に要求されるコンテンツがユーザ８０１の移動ターミナルへ送信される。３：１８：５０に、おそらく、要求された全てのコンテンツが送信されるか、又はおそらく、ユーザ８０１がそのコンテンツをそれ以上受け取るのを望まないことを表明したために、送信８３９が完了となる。従って、送信８３９は、全部で２分３５秒間続き、そのうちの１分５秒が実際の送信に関するものであった。
【００４１】
その間に、ユーザ８０２も、例示的時間周期の始めにノード４００のカバレージエリアにいた。３：０２：２０に、ユーザは、あるコンテンツのダウンロードを要求し、送信８３６が開始される。３：０３：１５に、送信８３６がまだ進行中である状態で、ユーザ８０２は、ノード４００のカバレージエリアを去るが、ノード４３０のカバレージエリアに入る。上述したように、送信８３６は、ノード４３０を経て続く。３：０４：１０に、送信８３６がまだ進行中である状態で、ユーザ８０２は、ノード４３０のカバレージエリアから出てノード４４０のカバレージエリアへとローミングする。送信８３６は、ここで、ノード４４０を経て続けられる。３：０５：２０に、送信８３６が完了する。従って、送信８３６は、３つの異なるノードを通るが全てアクティブな３分の時間巾を有する。
【００４２】
３：１６：３５に、ユーザ８０２は、コンテンツのダウンロードを要求し、送信８４０を開始する。ユーザ８０２は、送信が３：１８：５０に完了するまでノード４４０のレンジ内に留まる。従って、送信８４０は、完全にアクティブな２分１５秒の時間巾を有する（バッファされるコンテンツはない）。
【００４３】
同様に、ユーザ８０３は、３：０４：１５にダウンロードを要求するときにノード４４０のレンジ内にあり、送信８３７を生じさせる。ユーザは、送信８３７が３：０４：５５に完了するまでノード４４０のレンジに留まる。従って、送信８３７は、全てアクティブな４０秒の時間巾を有する（バッファされるコンテンツはない）。
【００４４】
ユーザ８０４は、ほぼ３：０２にノード４２０のカバレージエリアに入る。３：０６：１０に、ユーザは、コンテンツの送信を要求し、送信８３８を開始させる。３：０７：２０に、ユーザ８０４は、ノード４２０のレンジからローミングして出るが、他のノードのカバレージエリアには入らない。上述したように、送信８３４からのコンテンツは、バッファされ、ユーザ８０４が戻るかどうかの決定が保留となる。３：０８：５５に、ユーザ８０４は、ノード４２０のレンジへローミングして戻る。バッファされたコンテンツと、ソースからのその後のコンテンツは、送信８３８が３：０９：２０に完了する前にユーザ８０４へ送信される。送信８３８の時間巾は、この３分１０秒であり、そのうちの１分３５秒は、アクティブな送信で占有される（３：０６：１０から３：０７：２０までの７０秒と、３：０８：５５から３：０９：２０までの２５秒）。
【００４５】
従って、好ましい実施形態に適用された本発明の基本的な新規な特徴を図示して説明したが、ここに示した装置の形態及び細部並びにその操作について本発明の精神から逸脱せずに種々の省略、置き換え及び変更がなされ得ることが当業者に明らかであろう。例えば、実質的に同じ機能を実質的に同様に遂行して同じ結果を達成する要素及び／又は方法段階の全ての組み合せは本発明の範囲内に包含されるものとする。更に、本発明の開示された形態又は実施形態に関連して示され及び／又は説明された構造及び／又は要素及び／又は方法段階は、設計選択上の一般的な事柄として、いかなる他の開示され、説明され又は示唆された形態又は実施形態で組み込まれてもよいことが明らかであろう。それ故、本発明は、特許請求の範囲のみによって限定されるものとする。
【図面の簡単な説明】
【００４６】
【図１】本発明に係るシステムを実施するショートレンジＲＦネットワークを示すブロック図である。
【図２】本発明の一実施形態による種々のデータベースのコンテンツを要約する図である。
【図３】本発明のジステムの一実施形態を経てローミングするクライアントの典型的な筋書きを示す図である。
【図４】ノードのカバレージエリアに入るときのクライアントの取り扱いを例示するシステムフローチャートである。
【図５】サーバーコンテンツに対するクライアント要求の取り扱いを例示するシステムフローチャートである。
【図６】保留中のサーバーコンテンツ要求をもつクライアントがノードのカバレージエリアを去るときの取り扱いを例示するシステムフローチャートである。
【図７】異なるノードに再接続した後のクライアントセッションの取り扱いを例示するシステムフローチャートである。
【図８】ネットワークを通してクライアントがローミングするタイミングを例示する図である。
【図１】
2004522342.tif 000003
【図２】
2004522342.tif 000004
【図４】
2004522342.tif 000005
【図５】
2004522342.tif 000006
【図６】
2004522342.tif 000007
【図７】
2004522342.tif 000008
【図８】
2004522342.tif 000009
【国際公開パンフレット】
2004522342.tif 000010
2004522342.tif 000011
2004522342.tif 000012
2004522342.tif 000013
2004522342.tif 000014
2004522342.tif 000015
2004522342.tif 000016
2004522342.tif 000017
2004522342.tif 000018
2004522342.tif 000019
2004522342.tif 000020
2004522342.tif 000021
2004522342.tif 000022
2004522342.tif 000023
2004522342.tif 000024
2004522342.tif 000025
2004522342.tif 000026
2004522342.tif 000027
2004522342.tif 000028
2004522342.tif 000029
2004522342.tif 000030
2004522342.tif 000031
2004522342.tif 000032
2004522342.tif 000033
2004522342.tif 000034
2004522342.tif 000035
2004522342.tif 000036
2004522342.tif 000037
2004522342.tif 000038
2004522342.tif 000039
2004522342.tif 000040
2004522342.tif 000041
2004522342.tif 000042
【国際公開パンフレット（コレクトバージョン）】
2004522342.tif 000043
2004522342.tif 000044
【国際調査報告】
2004522342.tif 000045
2004522342.tif 000046
2004522342.tif 000047